【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、
パーソナルオーディオデバイス筐体と、
前記筐体上に搭載されたトランスデューサであって、聴取者への再生のためのソースオーディオとトランスデューサの音響出力内の周囲オーディオ音の影響を抑止するための反雑音信号との両方を含むオーディオ信号を再現する、トランスデューサと、
前記筐体上に搭載された基準マイクロホンであって、前記周囲オーディオ音を示す基準マイクロホン信号を提供する、基準マイクロホンと、
前記トランスデューサに近接して前記筐体上に搭載されたエラーマイクロホンであって、前記トランスデューサの音響出力と前記トランスデューサにおける周囲オーディオ音とを示すエラーマイクロホン信号を提供する、エラーマイクロホンと、
雑音信号を提供する制御可能雑音ソースと、
第１の適応フィルタを用いて前記基準マイクロホン信号をフィルタ処理することにより、前記反雑音信号を生成し、エラー信号および前記基準マイクロホン信号に従って、前記聴取者によって聞かれる前記周囲オーディオ音の存在を低減させる、処理回路であって、
前記処理回路は、前記雑音信号をフィルタ処理することにより、周波数整形雑音信号を生成する、制御可能周波数応答を有する雑音整形フィルタを実装しており、
前記処理回路は、前記ソースオーディオを整形する二次経路応答を有する二次経路適応フィルタと、前記エラーマイクロホン信号から前記ソースオーディオを除去することにより、前記エラー信号を提供するコンバイナとを実装しており、
前記処理回路は、前記ソースオーディオが不在であるかまたは低減された振幅を有する場合、前記二次経路適応フィルタと、前記ソースオーディオの代わりにまたはそれとの組み合わせで前記トランスデューサによって再現された前記オーディオ信号との中に、前記周波数整形雑音信号を投入することにより、二次経路適応フィルタを継続して適応させ、
前記処理回路は、前記二次経路応答の少なくとも１つのパラメータに従って、前記雑音整形フィルタの周波数応答を制御することにより、前記トランスデューサによって再現された前記オーディオ信号内の雑音信号の可聴度を低減させ、
前記処理回路は、前記エラー信号を分析することにより、前記エラー信号の周波数コンテンツを決定し、前記エラー信号の周波数コンテンツに従って、前記雑音整形フィルタの前記制御可能周波数応答を適応的に制御し、それにより、前記トランスデューサによって再現された前記雑音信号の電力スペクトル密度が、前記エラー信号の電力スペクトル密度を複製する、
処理回路と
を備える、パーソナルオーディオデバイス。
【請求項２】
前記雑音整形フィルタの制御可能応答は、前記二次経路応答の少なくとも一部の逆数である応答を含み、前記少なくとも１つのパラメータは、前記二次経路応答を決定するパラメータを含む、請求項１に記載のパーソナルオーディオデバイス。
【請求項３】
前記雑音整形フィルタの前記制御可能周波数応答の利得は、前記二次経路応答の少なくとも一部にわたって、前記二次経路応答の大きさの逆数に従って設定される、請求項１に記載のパーソナルオーディオデバイス。
【請求項４】
前記雑音整形フィルタの前記制御可能周波数応答の利得は、特定の周波数帯における前記二次経路応答の大きさの逆数に従って設定される、請求項１に記載のパーソナルオーディオデバイス。
【請求項５】
前記処理回路はさらに、前記周波数整形雑音信号の周波数スペクトルにおける狭ピークの生成を防止するために、前記雑音整形の前記制御可能周波数応答の周波数を平滑にする、請求項１に記載のパーソナルオーディオデバイス。
【請求項６】
前記処理回路はさらに、前記周波数整形雑音信号の振幅における急激な変化を防止するために、時間ドメインにおける前記雑音整形の前記制御可能周波数応答を平滑にする、請求項１に記載のパーソナルオーディオデバイス。
【請求項７】
前記処理回路はさらに、その反雑音信号の不適切な生成を引き起こし得る、システム不安定性または周囲オーディオ条件の指示に応答して、前記雑音整形フィルタの前記制御可能周波数応答の更新レートを低減させる、請求項１に記載のパーソナルオーディオデバイス。
【請求項８】
パーソナルオーディオデバイスによる周囲オーディオ音の影響を抑止する方法であって、前記方法は、
基準マイクロホンを用いて周囲オーディオ音を測定し、基準マイクロホン信号を生成することと、
第１の適応フィルタを用いて前記基準マイクロホン信号をフィルタ処理することにより、反雑音信号を生成し、エラー信号および前記基準マイクロホン信号に従って、聴取者によって聞かれる前記周囲オーディオ音の存在を低減させることと、
前記反雑音信号をソースオーディオと組み合わせることと、
前記組み合わせることの結果をトランスデューサに提供することと、
エラーマイクロホンを用いて、前記トランスデューサの音響出力および前記周囲オーディオ音を測定することと、
二次経路適応フィルタを用いて、前記ソースオーディオを整形することと、
前記エラーマイクロホン信号から前記ソースオーディオを除去することにより、前記エラー信号を提供することと、
前記エラー信号を分析することにより、前記エラー信号の周波数コンテンツを決定することと、
制御可能雑音ソースを用いて、雑音信号を生成することと、
制御可能周波数応答を有する雑音整形フィルタを用いて、前記雑音信号をフィルタ処理することにより、周波数整形雑音信号を生成することと、
前記ソースオーディオが不在であるかまたは低減された振幅を有する場合、前記二次経路適応フィルタと、前記ソースオーディオの代わりにまたはそれとの組み合わせで前記トランスデューサによって再現された前記オーディオ信号との中に、前記周波数整形雑音信号を投入することにより、前記二次経路適応フィルタを継続して適応させることと、
二次経路応答の少なくとも１つのパラメータに従って前記雑音整形フィルタの周波数応答を制御し、前記トランスデューサによって再現されたオーディオ信号内の雑音信号の可聴度を低減させるために前記エラー信号の周波数コンテンツに従って前記雑音整形フィルタの前記周波数応答を適応的に制御することと
を含む、方法。
【請求項９】
前記雑音整形フィルタの制御可能応答は、前記二次経路応答の少なくとも一部の逆数である応答を含み、前記少なくとも１つのパラメータは、前記二次経路応答を決定するパラメータを含む、請求項８に記載の方法。
【請求項１０】
前記制御することは、前記二次経路応答の少なくとも一部にわたって、前記二次経路応答の大きさの逆数に従って、前記雑音整形フィルタの前記制御可能周波数応答の利得を設定する、請求項８に記載の方法。
【請求項１１】
前記制御することは、特定の周波数帯における前記二次経路応答の大きさの逆数に従って、前記雑音整形フィルタの前記制御可能周波数応答の利得を設定する、請求項８に記載の方法。
【請求項１２】
前記制御することはさらに、前記周波数整形雑音信号の周波数スペクトルにおける狭ピークの生成を防止するために、前記雑音整形の前記制御可能周波数応答を平滑にすることを含む、請求項８に記載の方法。
【請求項１３】
前記制御することはさらに、前記周波数整形雑音信号の振幅における急激な変化を防止するために、時間ドメインにおける前記雑音整形の前記制御可能周波数応答を平滑にすることを含む、請求項８に記載の方法。
【請求項１４】
その反雑音信号の不適切な生成を引き起こし得る、システム不安定性または周囲オーディオ条件の指示に応答して、前記雑音整形フィルタの前記制御可能周波数応答の更新レートを低減させることをさらに含む、請求項８に記載の方法。
【請求項１５】
パーソナルオーディオデバイスの少なくとも一部を実装するための集積回路であって、
聴取者への再生のためのソースオーディオと、トランスデューサの音響出力内の周囲オーディオ音の影響を抑止するための反雑音信号との両方を含む出力信号を出力トランスデューサに提供するための出力と、
前記周囲オーディオ音を示す基準マイクロホン信号を受信するための基準マイクロホン入力と、
前記トランスデューサの音響出力と前記トランスデューサにおける周囲オーディオ音とを示すエラーマイクロホン信号を受信するためのエラーマイクロホン入力と、
雑音信号を提供するための制御可能雑音ソースと、
第１の適応フィルタを用いて前記基準マイクロホン信号をフィルタ処理することにより、前記反雑音信号を生成し、エラー信号および前記基準マイクロホン信号に従って、前記聴取者によって聞かれる前記周囲オーディオ音の存在を低減させる、処理回路であって、
前記処理回路は、前記雑音信号をフィルタ処理することにより、周波数整形雑音信号を生成する、制御可能周波数応答を有する雑音整形フィルタを実装しており、
前記処理回路は、前記ソースオーディオを整形する二次経路応答を有する二次経路適応フィルタと、前記エラーマイクロホン信号から前記ソースオーディオを除去することにより、前記エラー信号を提供するコンバイナとを実装しており、
前記処理回路は、前記ソースオーディオが不在である、または低減された振幅を有する場合、前記二次経路適応フィルタと、前記ソースオーディオの代わりにまたはそれとの組み合わせで前記トランスデューサによって再現された前記オーディオ信号との中に、前記周波数整形雑音信号を投入することにより、前記二次経路適応フィルタを継続して適応させ、
前記処理回路は、前記二次経路応答の少なくとも１つのパラメータに従って、前記雑音整形フィルタの周波数応答を制御することにより、前記トランスデューサによって再現された前記オーディオ信号内の雑音信号の可聴度を低減させ、
前記処理回路は、前記エラー信号を分析することにより、前記エラー信号の周波数コンテンツを決定し、前記エラー信号の周波数コンテンツに従って、前記雑音整形フィルタの前記制御可能周波数応答を適応的に制御する、
処理回路と
を備える、集積回路。
【請求項１６】
前記雑音整形フィルタの制御可能応答は、前記二次経路応答の少なくとも一部の逆数である応答を含み、前記少なくとも１つのパラメータは、前記二次経路応答を決定するパラメータを含む、請求項１５に記載の集積回路。
【請求項１７】
前記雑音整形フィルタの前記制御可能周波数応答の利得は、前記二次経路応答の少なくとも一部にわたって、前記二次経路応答の大きさの逆数に従って設定される、請求項１５に記載の集積回路。
【請求項１８】
前記雑音整形フィルタの前記制御可能周波数応答の利得は、特定の周波数帯における前記二次経路応答の大きさの逆数に従って設定される、請求項１５に記載の集積回路。
【請求項１９】
前記処理回路はさらに、前記周波数整形雑音信号の周波数スペクトルにおける狭ピークの生成を防止するために、前記雑音整形の前記制御可能周波数応答の周波数を平滑にする、請求項１５に記載の集積回路。
【請求項２０】
前記処理回路はさらに、前記周波数整形雑音信号の振幅における急激な変化を防止するために、時間ドメインにおける前記雑音整形の前記制御可能周波数応答を平滑にする、請求項１５に記載の集積回路。
【請求項２１】
前記処理回路はさらに、その反雑音信号の不適切な生成を引き起こし得る、システム不安定性または周囲オーディオ条件の指示に応答して、前記雑音整形フィルタの前記制御可能周波数応答の更新レートを低減させる、請求項１５に記載の集積回路。
【手続補正２】
【補正対象書類名】明細書
【補正対象項目名】０００７
【補正方法】変更
【補正の内容】
【０００７】
本発明の前述ならびに他の目的、特徴、および利点は、付随の図面に図示されるように、本発明の好ましい実施形態の以下のより具体的説明から明白となるであろう。
本願明細書は、例えば、以下の項目も提供する。
（項目１）
パーソナルオーディオデバイスであって、
パーソナルオーディオデバイス筐体と、
前記筐体上に搭載されたトランスデューサであって、聴取者への再生のためのソースオーディオとトランスデューサの音響出力内の周囲オーディオ音の影響を抑止するための反雑音信号との両方を含むオーディオ信号を再現する、トランスデューサと、
前記筐体上に搭載された基準マイクロホンであって、前記周囲オーディオ音を示す基準マイクロホン信号を提供する、基準マイクロホンと、
前記トランスデューサに近接して前記筐体上に搭載されたエラーマイクロホンであって、前記トランスデューサの音響出力と前記トランスデューサにおける周囲オーディオ音とを示すエラーマイクロホン信号を提供する、エラーマイクロホンと、
雑音信号を提供する制御可能雑音ソースと、
第１の適応フィルタを用いて前記基準マイクロホン信号をフィルタ処理することにより、前記反雑音信号を生成し、エラー信号および前記基準マイクロホン信号に従って、前記聴取者によって聞かれる前記周囲オーディオ音の存在を低減させる、処理回路であって、
前記処理回路は、前記雑音信号をフィルタ処理することにより、周波数整形雑音信号を生成する、制御可能周波数応答を有する雑音整形フィルタを実装しており、
前記処理回路は、前記ソースオーディオを整形する二次経路応答を有する二次経路適応フィルタと、前記エラーマイクロホン信号から前記ソースオーディオを除去することにより、前記エラー信号を提供するコンバイナとを実装しており、
前記処理回路は、前記ソースオーディオが不在であるかまたは低減された振幅を有する場合、前記二次経路適応フィルタと、前記ソースオーディオの代わりにまたはそれとの組み合わせで前記トランスデューサによって再現された前記オーディオ信号との中に、前記周波数整形雑音信号を投入することにより、二次経路適応フィルタを継続して適応させ、
前記処理回路は、前記二次経路応答の少なくとも１つのパラメータに従って、前記雑音整形フィルタの周波数応答を制御することにより、前記トランスデューサによって再現された前記オーディオ信号内の雑音信号の可聴度を低減させる、
処理回路と
を備える、パーソナルオーディオデバイス。
（項目２）
前記処理回路は、前記エラー信号を分析することにより、前記エラー信号の周波数コンテンツを決定し、前記エラー信号の周波数コンテンツに従って、前記雑音整形フィルタの前記制御可能周波数応答を適応的に制御する、項目１に記載のパーソナルオーディオデバイス。
（項目３）
前記雑音整形フィルタの制御可能応答は、前記二次経路応答の少なくとも一部の逆数である応答を含み、前記少なくとも１つのパラメータは、前記二次経路応答を決定するパラメータを含む、項目２に記載のパーソナルオーディオデバイス。
（項目４）
前記雑音整形フィルタの前記制御可能周波数応答の利得は、前記二次経路応答の少なくとも一部にわたって、前記二次経路応答の大きさの逆数に従って設定される、項目２に記載のパーソナルオーディオデバイス。
（項目５）
前記雑音整形フィルタの前記制御可能周波数応答の利得は、特定の周波数帯における前記二次経路応答の大きさの逆数に従って設定される、項目１に記載のパーソナルオーディオデバイス。
（項目６）
前記処理回路はさらに、前記周波数整形雑音信号の周波数スペクトルにおける狭ピークの生成を防止するために、前記雑音整形の前記制御可能周波数応答の周波数を平滑にする、項目１に記載のパーソナルオーディオデバイス。
（項目７）
前記処理回路はさらに、前記周波数整形雑音信号の振幅における急激な変化を防止するために、時間ドメインにおける前記雑音整形の前記制御可能周波数応答を平滑にする、項目１に記載のパーソナルオーディオデバイス。
（項目８）
前記処理回路はさらに、その反雑音信号の不適切な生成を引き起こし得る、システム不安定性または周囲オーディオ条件の指示に応答して、前記雑音整形フィルタの前記制御可能周波数応答の更新レートを低減させる、項目１に記載のパーソナルオーディオデバイス。
（項目９）
パーソナルオーディオデバイスによる周囲オーディオ音の影響を抑止する方法であって、前記方法は、
基準マイクロホンを用いて周囲オーディオ音を測定し、基準マイクロホン信号を生成するステップと、
第１の適応フィルタを用いて前記基準マイクロホン信号をフィルタ処理することにより、反雑音信号を生成し、エラー信号および前記基準マイクロホン信号に従って、聴取者によって聞かれる前記周囲オーディオ音の存在を低減させるステップと、
前記反雑音信号をソースオーディオと組み合わせるステップと、
前記組み合わせるステップの結果をトランスデューサに提供するステップと、
エラーマイクロホンを用いて、前記トランスデューサの音響出力および前記周囲オーディオ音を測定するステップと、
二次経路適応フィルタを用いて、前記ソースオーディオを整形するステップと、
前記エラーマイクロホン信号から前記ソースオーディオを除去することにより、前記エラー信号を提供するステップと、
制御可能雑音ソースを用いて、雑音信号を生成するステップと、
制御可能周波数応答を有する雑音整形フィルタを用いて、前記雑音信号をフィルタ処理することにより、周波数整形雑音信号を生成するステップと、
前記ソースオーディオが不在であるかまたは低減された振幅を有する場合、前記二次経路適応フィルタと、前記ソースオーディオの代わりにまたはそれとの組み合わせで前記トランスデューサによって再現された前記オーディオ信号との中に、前記周波数整形雑音信号を投入することにより、前記二次経路適応フィルタを継続して適応させるステップと、
二次経路応答の少なくとも１つのパラメータに従って、前記雑音整形フィルタの周波数応答を制御することにより、前記トランスデューサによって再現されたオーディオ信号内の雑音信号の可聴度を低減させるステップと
を含む、方法。
（項目１０）
前記エラー信号を分析することにより、前記エラー信号の周波数コンテンツを決定するステップをさらに含み、前記制御するステップは、前記エラー信号の周波数コンテンツに従って、前記雑音整形フィルタの前記制御可能周波数応答を適応的に制御する、項目９に記載の方法。
（項目１１）
前記雑音整形フィルタの制御可能応答は、前記二次経路応答の少なくとも一部の逆数である応答を含み、前記少なくとも１つのパラメータは、前記二次経路応答を決定するパラメータを含む、項目１０に記載の方法。
（項目１２）
前記制御するステップは、前記二次経路応答の少なくとも一部にわたって、前記二次経路応答の大きさの逆数に従って、前記雑音整形フィルタの前記制御可能周波数応答の利得を設定する、項目１０に記載の方法。
（項目１３）
前記制御するステップは、特定の周波数帯における前記二次経路応答の大きさの逆数に従って、前記雑音整形フィルタの前記制御可能周波数応答の利得を設定する、項目９に記載の方法。
（項目１４）
前記制御するステップはさらに、前記周波数整形雑音信号の周波数スペクトルにおける狭ピークの生成を防止するために、前記雑音整形の前記制御可能周波数応答を平滑にするステップを含む、項目９に記載の方法。
（項目１５）
前記制御するステップはさらに、前記周波数整形雑音信号の振幅における急激な変化を防止するために、時間ドメインにおける前記雑音整形の前記制御可能周波数応答を平滑にするステップを含む、項目９に記載の方法。
（項目１６）
その反雑音信号の不適切な生成を引き起こし得る、システム不安定性または周囲オーディオ条件の指示に応答して、前記雑音整形フィルタの前記制御可能周波数応答の更新レートを低減させるステップをさらに含む、項目９に記載の方法。
（項目１７）
パーソナルオーディオデバイスの少なくとも一部を実装するための集積回路であって、
聴取者への再生のためのソースオーディオと、トランスデューサの音響出力内の周囲オーディオ音の影響を抑止するための反雑音信号との両方を含む出力信号を出力トランスデューサに提供するための出力と、
前記周囲オーディオ音を示す基準マイクロホン信号を受信するための基準マイクロホン入力と、
前記トランスデューサの音響出力と前記トランスデューサにおける周囲オーディオ音とを示すエラーマイクロホン信号を受信するためのエラーマイクロホン入力と、
雑音信号を提供するための制御可能雑音ソースと、
第１の適応フィルタを用いて前記基準マイクロホン信号をフィルタ処理することにより、前記反雑音信号を生成し、エラー信号および前記基準マイクロホン信号に従って、前記聴取者によって聞かれる前記周囲オーディオ音の存在を低減させる、処理回路であって、
前記処理回路は、前記雑音信号をフィルタ処理することにより、周波数整形雑音信号を生成する、制御可能周波数応答を有する雑音整形フィルタを実装しており、
前記処理回路は、前記ソースオーディオを整形する二次経路応答を有する二次経路適応フィルタと、前記エラーマイクロホン信号から前記ソースオーディオを除去することにより、前記エラー信号を提供するコンバイナとを実装しており、
前記処理回路は、前記ソースオーディオが不在である、または低減された振幅を有する場合、前記二次経路適応フィルタと、前記ソースオーディオの代わりにまたはそれとの組み合わせで前記トランスデューサによって再現された前記オーディオ信号との中に、前記周波数整形雑音信号を投入することにより、前記二次経路適応フィルタを継続して適応させ、
前記処理回路は、前記二次経路応答の少なくとも１つのパラメータに従って、前記雑音整形フィルタの周波数応答を制御することにより、前記トランスデューサによって再現された前記オーディオ信号内の雑音信号の可聴度を低減させる、
処理回路と
を備える、集積回路。
（項目１８）
前記処理回路は、前記エラー信号を分析することにより、前記エラー信号の周波数コンテンツを決定し、前記エラー信号の周波数コンテンツに従って、前記雑音整形フィルタの前記制御可能周波数応答を適応的に制御する、項目１７に記載の集積回路。
（項目１９）
前記雑音整形フィルタの制御可能応答は、前記二次経路応答の少なくとも一部の逆数である応答を含み、前記少なくとも１つのパラメータは、前記二次経路応答を決定するパラメータを含む、項目１８に記載の集積回路。
（項目２０）
前記雑音整形フィルタの前記制御可能周波数応答の利得は、前記二次経路応答の少なくとも一部にわたって、前記二次経路応答の大きさの逆数に従って設定される、項目１８に記載の集積回路。
（項目２１）
前記雑音整形フィルタの前記制御可能周波数応答の利得は、特定の周波数帯における前記二次経路応答の大きさの逆数に従って設定される、項目１７に記載の集積回路。
（項目２２）
前記処理回路はさらに、前記周波数整形雑音信号の周波数スペクトルにおける狭ピークの生成を防止するために、前記雑音整形の前記制御可能周波数応答の周波数を平滑にする、項目１７に記載の集積回路。
（項目２３）
前記処理回路はさらに、前記周波数整形雑音信号の振幅における急激な変化を防止するために、時間ドメインにおける前記雑音整形の前記制御可能周波数応答を平滑にする、項目１７に記載の集積回路。
（項目２４）
前記処理回路はさらに、その反雑音信号の不適切な生成を引き起こし得る、システム不安定性または周囲オーディオ条件の指示に応答して、前記雑音整形フィルタの前記制御可能周波数応答の更新レートを低減させる、項目１７に記載の集積回路。